(57)【要約】【課題】  制御信号の供給線を新たに設けることなく、部品点数の増加をできるだけ少なくすることを目的とする。【解決手段】  電力増幅器１に接続されるアイソレータ２の出力側に得られる送信信号を高速パケットモード時は切替スイッチ３により受信帯域を落す送信フィルタ４を挿入して送信し、通常モード時は、この切替スイッチ３によりこの送信フィルタ４を挿入しないで送信するようにした携帯通信端末において、この切替スイッチ３とこの送信フィルタ４との間に隣接チャネル漏洩電力が最適化する負荷１０を接続したものである。【選択図】  図１
2005159756.tif 000002
【特許請求の範囲】
【請求項１】
電力増幅器に接続されるアイソレータの出力側に得られる送信信号を高速パケットモード時は切替スイッチにより受信帯域を落す送信フィルタを挿入して送信し、通常モード時は、前記切替スイッチにより前記送信フィルタを挿入しないで送信するようにした携帯通信端末において、
前記切替スイッチと前記送信フィルタとの間に隣接チャネル漏洩電力が最適化する負荷を接続したことを特徴とする携帯通信端末。
【請求項２】
請求項１記載の携帯通信端末において、
前記負荷は移相器であることを特徴とする携帯通信端末。
【発明の詳細な説明】
【技術分野】
【０００１】
本発明は高速パケットモード及び通常モード（ＴＤＭＡモード）を有する携帯通信端末に関する。
【背景技術】
【０００２】
一般に高速パケットモード及び通常モード（ＴＤＭＡモード）を有する携帯通信端末においては、高速パケットモードのときは送受信同時動作が行われるので、この送信信号成分より受信帯域ノイズを取り除く必要があり、送信回路においては、図４に示す如く構成されていた。
【０００３】
図４において、１は送信信号を増幅する電力増幅器を示し、この電力増幅器１の出力信号をアンテナからこの電力増幅器１に向かう反射波を阻止するアイソレータ２に供給する。
【０００４】
このアイソレータ２の出力側に得られる送信信号を切替スイッチ３を構成する一方の接続スイッチ３ａを介してアンテナに供給するようにすると共にこのアイソレータ２の出力側に得られる送信信号を切替スイッチ３を構成し、一方の接続スイッチ３ａと連動し且つオン・オフ逆の動作をする他方の接続スイッチ３ｂを介して受信帯域を落す送信フィルタ４に供給する。
【０００５】
この送信フィルタ４の出力信号を接続スイッチ３ｂと連動する接続スイッチ５を介してアンテナに供給する如くする。
【０００６】
図４においては、高速パケットモードのときに接続スイッチ３ｂ及び５をオンとすると共に接続スイッチ３ａをオフとし、送信信号を受信帯域を落す送信フィルタ４を介してアンテナに供給するようにし、この送信信号より受信帯域ノイズを除去する如くする。
【０００７】
この場合、送信信号は電力をロスする送信フィルタ４を通すので、電力増幅器１の出力側を高出力電力とする必要がある。
【０００８】
また図４においては、通常モード（ＴＤＭＡモード）のときに接続スイッチ３ａをオンとし、接続スイッチ３ｂ及び５をオフとし、送信信号を電力をロスする送信フィルタ４を介さずにアンテナに供給する如くし、電力のロスをできるだけ少なくするようにしている。
【０００９】
また、一般に携帯通信端末の送信回路においては、電力増幅器１からアイソレータ２側を見たインピーダンスによって、その送信特性である隣接チャネル漏洩電力（送信信号の歪）と消費電流とが左右され、またこの隣接チャネル漏洩電力を向上させるインピーダンスと、消費電流を低減させるインピーダンスとは相反する傾向を示す。
【００１０】
そこで、従来この隣接チャネル漏洩電力と消費電流の送信特性を状況に応じて最適化することができる送信回路が特許文献１に提案されている。
【００１１】
この特許文献１に記載されている送信回路は図５に示す如く、送信信号を増幅して出力する電力増幅器１と、この電力増幅器１の出力信号が供給され、その出力に得られる送信信号をアンテナに供給するアイソレータ２とを有し、この電力増幅器１とアイソレータ２との接続点を接続スイッチ６及び負荷(コイル、コンデンサ等)7より成るインピーダンス切り替え回路を介して接地したものである。
【００１２】
このインピーダンス切り替え回路は携帯通信端末の制御部から送出される制御信号が供給される制御信号入力端子６ａよりの制御信号により接続スイッチ６のオン又はオフが切り替えられ、負荷７を接続又はオープンとなる。
【００１３】
従って、電力増幅器１からアイソレータ２側を見たインピーダンスが、この制御信号入力端子６ａに供給される制御信号により切り替えられ、消費電流は多くても良いが隣接チャネル漏洩電力（送信信号の歪）を向上したいといった状況や、隣接チャネル漏洩電力（送信信号の歪）を犠牲にしても消費電流を小さくしたいといった状況等の個別の状況に対応することができる。
【特許文献１】特開２００３−２９８４３５号公報
【発明の開示】
【発明が解決しようとする課題】
【００１４】
ところで高速パケットモード及び通常モード（ＴＤＭＡモード）を有する携帯通信端末において、高速パケットモードでは送信フィルタ４のロスを補うため、この電力増幅器１の出力電流を大きくする必要があり、このときは隣接チャネル漏洩電力の向上（送信信号の低歪）を図ることが求められる。
【００１５】
また、この高速パケットモードでは必要時にしか送信しないため、この携帯通信端末では送信する頻度が低く、消費電流については多少多くてもこの携帯通信端末全体に対する影響は小さい。
【００１６】
また通常モード（ＴＤＭＡモード）では、通話時に使用するため電力増幅器１の消費電力がこの携帯通信端末全体の消費電力に対し占める割合が高く、多少隣接チャネル漏洩電力（送信信号の歪）は犠牲にしても低消費電流であることが求められる。
【００１７】
この為、この高速パケットモード及び通常モードを有する携帯通信端末の送信回路においては、図４に示す如き送信回路に、図５に示す如き状況に応じ送信特性の隣接チャネル漏洩電力と消費電流とを最適化することができる送信回路を適用することが考えられる。
【００１８】
然しながら、図４に示す如き送信回路に図５に示す如き送信回路を適用したときには、部品点数の増加に伴うコストアップとなると共に実装面積の増加になり、また接続スイッチ６の制御信号入力端子６ａに制御信号の供給線を新たに設ける必要がある不都合がある。
【００１９】
本発明は斯る点に鑑み、この制御信号の供給線を新たに設けることなく部品点数の増加をできるだけ少なくすることを目的とする。
【課題を解決するための手段】
【００２０】
本発明携帯通信端末は、電力増幅器に接続されるアイソレータの出力側に得られる送信信号を高速パケットモード時は切替スイッチにより受信帯域を落す送信フィルタを挿入して送信し、通常モード時は、この切替スイッチによりこの送信フィルタを挿入しないで送信するようにした携帯通信端末において、この切替スイッチとこの送信フィルタとの間に隣接チャネル漏洩電力が最適化する負荷を接続したものである。
【発明の効果】
【００２１】
本発明によれば、高速パケットモード時に既存の切替スイッチと送信フィルタとの間に隣接チャネル漏洩電力が最適化する負荷を接続して、隣接チャネル漏洩電力を最適化（送信信号を低歪）し、通常モード時には低消費電流とするのに既存の切替スイッチを切り替えるだけなので、制御信号の供給線を新たに設けることなく部品点数の増加をできるだけ少なくすると共に実装面積の増加をできるだけ少なくできる。
【発明を実施するための最良の形態】
【００２２】
以下図１及び図２を参照して本発明携帯通信端末を実施するための最良の形態の例につき説明する。図１において図４及び図５に対応する部分には同一符号を付して示す。
【００２３】
先ず、図２を参照して携帯通信端末の例につき説明する。図２に示すように、この携帯通信端末は、アンテナ１２１がアンテナ共用器１３１を介して受信回路１３２と送信回路１３４に接続してある。受信回路１３２では、指示されたチャネルの受信処理を行い、受信回路１３２で受信された信号を、音声処理部１３３に供給して、無線伝送された音声信号や各種データを復調して抽出し、音声信号についてはスピーカ１２２から出力させる。また、マイクロホン１１３が出力する音声信号を音声処理部１３３に供給して、無線伝送用に変調するなどの処理を行い、その処理された信号を送信回路１３４で所定のチャネルの送信信号とする送信処理を行い、その送信信号をアンテナ１２１から無線送信させる。これらの音声処理部１３３と受信回路１３２と送信回路１３４での処理は、中央制御ユニット（ＣＰＵ）１３５の制御により実行される。ＣＰＵ１３５は、この携帯通信端末内での各種信号処理を制御するマイクロプロセッサである。
【００２４】
ＣＰＵ１３５には、この端末の動作に必要な情報が記憶されるＲＯＭ１３６と、電話帳情報などのユーザが登録した情報が記憶されるＲＡＭ１３７とが接続してあり、ＣＰＵ１３５が随時記憶情報を読出すようにしてある。この場合、ＲＯＭ１３６は、所定の処理を行ったとき一部の記憶データの書換えが可能なフラッシュメモリとしてあり、電話機能に関する登録情報を書き込ますようにしてある。このＲＯＭ１３６に記憶される電話機能に関する登録情報としては、この携帯通信端末に固有の識別番号であるＩＤデータや、無線電話会社への契約の有無の情報や、契約を行った場合には、電話会社から付与された電話番号の情報などがある。
【００２５】
キー入力部１１１やジョグダイヤル部１１２を操作した情報は、ＣＰＵ１３５に供給され、ＣＰＵ１３５がその操作情報に基づいた動作を実行させるようにしてある。表示部１２３での表示についても、ＣＰＵ１３５が制御する。
【００２６】
本例においては、この送信回路１３４を図１に示す如く構成する。送信信号を増幅する電力増幅器１の出力信号をアンテナ１２１からこの電力増幅器１に向かう反射波を阻止するアイソレータ２に供給する。本例においては、この電力増幅器１に供給される送信信号には、高速パケットモードの送信信号と通常モード（ＴＤＭＡモード）の送信信号とがある。
【００２７】
このアイソレータ２の出力側に得られる送信信号を切替スイッチ３を構成する一方の接続スイッチ３ａ及びアンテナ共用器１３１を介してアンテナ１２１に供給するようにすると共に、このアイソレータ２の出力側に得られる送信信号を切替スイッチ３を構成し、一方の接続スイッチ３ａと連動し且つオン・オフ逆の動作をする他方の接続スイッチ３ｂ及び負荷を構成する移相器１０を介して受信帯域を落す送信フィルタ４に供給する。
【００２８】
この送信フィルタ４の出力信号を他方の接続スイッチ３ｂと連動する接続スイッチ５及びアンテナ共用器１３１を介してアンテナ１２１に供給する如くする。
【００２９】
本例においては、高速パケットモードのときに、他方の接続スイッチ３ｂ及び接続スイッチ５をオンとすると共に一方の接続スイッチ３ａをオフとし、送信信号を受信帯域を落す送信フィルタ４を介してアンテナ１２１に供給するようにし、この送信信号より受信帯域ノイズを除去する如くする。
【００３０】
この場合、送信信号は電力をロスする送信フィルタ４を通すので、電力増幅器１の出力側を高出力電力とすると共に本例においては、電力増幅器１からアイソレータ２側を見たインピーダンス即ち移相器１０による負荷と送信フィルタ４とによるインピーダンスが隣接チャネル漏洩電力の最適（送信信号が低歪）となるものとする。
【００３１】
この移相器１０としては、図３に示す如く、入力端子１０ａ及び出力端子１０ｂ間に所定の値のコンデンサ１０ｃを接続し、この入力端子１０ａ及びコンデンサ１０ｃの接続点を所定の値のコイル１０ｄを介して接地すると共にコンデンサ１０ｃ及び出力端子１０ｂの接続点を所定の値のコイル１０ｅを介して接地したものである。
【００３２】
また本例においては、通常モード（ＴＤＭＡモード）のときに、一方の接続スイッチ３ａをオンとし、他方の接続スイッチ３ｂ及び接続スイッチ５をオフとし、送信信号を電力をロスする送信フィルタ４を介さずにアンテナ１２１に供給する如くし、電力増幅器１からアイソレータ２側を見たインピーダンスが消費電流が小さくなるインピーダンスとする。
【００３３】
本例は上述の如く構成するので、高速パケットモード時に既存の切替スイッチ３の他方の接続スイッチ３ｂと送信フィルタ４との間に隣接チャネル漏洩電力が最適化する移相器１０を接続して、隣接チャネル漏洩電力を最適化（送信信号の低歪）し、通常モード時には低消費電流とするのに既存の切替スイッチ３（一方及び他方の接続スイッチ３ａ、３ｂ）を切り替えるだけなので、制御信号の供給線を新たに設けることなく部品点数の増加をできるだけ少なくすると共に実装面積の増加をできるだけ少なくできる。
【００３４】
尚、本発明は上述例に限ることなく本発明の要旨を逸脱することなく、その他種々の構成が採り得ることは勿論である。
【図面の簡単な説明】
【００３５】
【図１】本発明携帯通信端末を実施するための最良の形態の例の要部を示す構成図である。
【図２】携帯通信端末の例を示す構成図である。
【図３】移相器の例を示す接続図である。
【図４】従来の送信回路の例を示す構成図である。
【図５】従来の送信回路の例を示す構成図である。
【符号の説明】
【００３６】
１‥‥電力増幅器、２‥‥アイソレータ、３‥‥切替スイッチ、４‥‥送信フィルタ、５‥‥接続スイッチ、１０‥‥移相器、１２１‥‥アンテナ、１３４‥‥送信回路、１３５‥‥ＣＰＵ
【図１】
2005159756.tif 000003
【図２】
2005159756.tif 000004
【図３】
2005159756.tif 000005
【図４】
2005159756.tif 000006
【図５】
2005159756.tif 000007